(57)【要約】      （修正有）【課題】配管を透過した気体を貯留するための密閉空間内の気体の自然換気による排出を継続しつつ、配管中を流通する気体の水溶液中に溶存する気体の濃度を効果的に測定することが可能な溶存気体測定装置を提供する。【解決手段】特定の気体を透過する配管中を流通する該特定の気体の水溶液中に溶存する該特定の気体の濃度を測定する溶存気体測定装置であって、配管押さえ部１ａ、１ｂと、ガス貯留部５と、換気筒４とを備える。換気筒４は気体センサー８と換気口９とを有している。気体センサー８は、ガス貯留部５と換気口９との間に位置するように、換気筒内４に配置されている。【選択図】図２
2020008506.tif 000002
【特許請求の範囲】
【請求項１】
特定の気体を透過する配管中を流通する該特定の気体の水溶液中に溶存する該特定の気体の濃度を測定する溶存気体測定装置であって、
前記配管に前記溶存気体測定装置を固定する配管押さえ部と、
前記配管を透過した気体を貯留する空間であるガス貯留部と、
前記ガス貯留部に貯留された気体を換気する換気筒とを備え、
前記換気筒は、前記ガス貯留部から該換気筒に流入した前記特定の気体の濃度を測定する気体センサーと、該気体を該換気筒外に排出する換気口とを有しており、
前記気体センサーは、前記ガス貯留部と前記換気口との間に位置するように、前記換気筒内に配置されていることを特徴とする溶存気体測定装置。
【請求項２】
請求項１に記載の溶存気体測定装置において、
前記換気筒は、前記配管押さえ部の前記配管方向における一方の端部側に配置されていることを特徴とする溶存気体測定装置。
【発明の詳細な説明】
【技術分野】
【０００１】
本発明は、特定の気体を透過する配管中を流通する気体の水溶液中に溶存する当該気体の濃度を測定する溶存気体測定装置に関する。
【背景技術】
【０００２】
従来、絶縁油中に溶存する水素ガスを、透過膜を透過して密閉空間である水素ガスチャンバに移行させ、当該移行した水素ガスの量を検知することで絶縁油中に溶存する水素ガスの濃度を測定する油中水素ガス検知装置が知られている（例えば、特許文献１参照）。
【０００３】
特許文献１の装置においては、水素ガス検知センサーを用いて、透過膜を透過して水素ガスチャンバに移行した水素ガスの量を検知することで絶縁油中に溶存する水素ガスの濃度を測定すると共に、水素ガスチャンバ内の水素ガスは自然換気により通気口から排出される。
【先行技術文献】
【特許文献】
【０００４】
【特許文献１】実開昭５７−１６４４５９号公報
【発明の概要】
【発明が解決しようとする課題】
【０００５】
特許文献１の装置を、特定の気体を透過する配管中を流通する気体の水溶液中に溶存する当該特定の気体の濃度を測定する溶存気体測定装置として用いることが考えられる。
【０００６】
しかしながら、特許文献１の装置においては、センサーと通気口との設置位置が大きく異なるため、透過膜を透過した気体を貯留する密閉空間に移行した気体の一部がセンサーにより測定されずに自然換気により通気口から排出されてしまい、気体の水溶液中に溶存する当該特定の気体の濃度を正確に測定できない課題があった。
【０００７】
本発明の目的は、かかる従来技術の課題に鑑み、配管を透過した気体を貯留するための密閉空間内の気体の自然換気による排出を継続しつつ、配管中を流通する特定の気体の水溶液中に溶存する当該特定の気体の濃度を効果的に測定することが可能な溶存気体測定装置を提供することにある。
【課題を解決するための手段】
【０００８】
本発明による溶存気体測定装置は、
特定の気体を透過する配管中を流通する該特定の気体の水溶液中に溶存する該特定の気体の濃度を測定する溶存気体測定装置であって、
前記配管に前記溶存気体測定装置を固定する配管押さえ部と、
前記配管を透過した気体を貯留する空間であるガス貯留部と、
前記ガス貯留部に貯留された気体を換気する換気筒とを備え、
前記換気筒は、前記ガス貯留部から該換気筒に流入した前記特定の気体の濃度を測定する気体センサーと、該気体を該換気筒外に排出する換気口とを有しており、
前記気体センサーは、前記ガス貯留部と前記換気口との間に位置するように、前記換気筒内に配置されていることを特徴とする。
【０００９】
本発明の溶存気体測定装置は、配管に前記溶存気体測定装置を固定する配管押さえ部と、配管を透過した気体を貯留する空間であるガス貯留部と、ガス貯留部に貯留された気体を換気する換気筒とを備えている。
【００１０】
そして、換気筒は、ガス貯留部から換気筒に流入した特定の気体の濃度を測定する気体センサーと、気体を換気筒外に排出する換気口とを有しており、気体センサーは、ガス貯留部と換気口との間に位置するように、換気筒内に配置されている
これにより、配管を透過してガス貯留部から換気筒に流入した特定の気体は、換気筒外に自然換気されるときに、必ず当該特定の気体の濃度を測定する気体センサーにより測定されるので、配管中を流通する気体の水溶液中に溶存する気体の濃度を効果的に測定することができる。
【００１１】
このように、本発明によれば、配管を透過した気体を貯留するための密閉空間内の気体の自然換気による排出を継続しつつ、配管中を流通する気体の水溶液中に溶存する気体の濃度を効果的に測定することが可能な溶存気体測定装置を提供することができる。
【００１２】
本発明による溶存気体測定装置において、
前記換気筒は、前記配管押さえ部の前記配管方向における一方の端部側に配置されていることが好ましい。
【００１３】
本発明の溶存気体測定装置は、換気筒が配管押さえ部の配管方向における一方の端部側に配置されている。
【００１４】
これにより、特定の気体が空気より軽い場合には配管の上方に換気筒が位置するように溶存気体測定装置を配管に固定して、特定の気体が空気より重い場合には配管の下方に換気筒が位置するように溶存気体測定装置を配管に固定して用いることができる。
【００１５】
そのため、特定の気体の重さを勘案して自然な換気を積極的に行うことができるので、配管中を流通する気体の水溶液中に溶存する気体の濃度をより正確に測定することができる。
【００１６】
このように、本発明によれば、配管を透過した気体を貯留するための密閉空間内の気体の自然換気を積極的に行い、配管中を流通する気体の水溶液中に溶存する気体の濃度をより正確に測定することが可能な溶存気体測定装置を提供することができる。
【図面の簡単な説明】
【００１７】
【図１】本実施形態の溶存気体測定装置の使用状態の断面図。
【図２】本実施形態の溶存気体測定装置の使用状態の断面図。
【発明を実施するための形態】
【００１８】
添付の図１及び図２を参照して本発明を実施するための形態についてさらに詳しく説明する。なお、同一の構成には同一の符号を付して、説明を省略する場合がある。
【００１９】
図１は本実施形態の溶存気体測定装置の使用状態を上方から見た断面図であり、図２は本実施形態の溶存気体測定装置の使用状態を正面から見た断面図である。
【００２０】
本実施例による溶存気体測定装置は、配管押さえ部１と、蝶番２と、固定部３と、換気筒４とを備える。
【００２１】
配管押さえ部１は、配管１１に溶存気体測定装置を固定する部品であり、例えば第１配管押さえ部１ａと第２配管押さえ部１ｂとで構成される。第１配管押さえ部１ａは、ガス貯留部５と排気口６とを有している。
【００２２】
蝶番２は、第１配管押さえ部１ａ及び第２配管押さえ部１ｂの一方の側面に固定されており、第１配管押さえ部１ａと第２配管押さえ部１ｂとを回転自在に支持している。
【００２３】
固定部３は、第１配管押さえ部１ａと第２配管押さえ部１ｂとを配管１１を挟み込んだ状態に着脱自在に固定できるように構成されており、例えば係止部３ａと係止受け部３ｂとで構成されるキャッチクリップである。固定部３は、蝶番２が固定されている側の反対側の第１配管押さえ部１ａ及び第２配管押さえ部１ｂの側面に固定されている。固定部３は、１つでもよいし、複数でもよい。
【００２４】
ガス貯留部５は、配管１１を透過した気体を貯留する密閉空間であり、配管１１側に開口している。ガス貯留部５の当該配管１１側に開口している部分の淵は、配管１１の外周面に隙間なく接するように構成されている。
【００２５】
ガス貯留部５は、配管１１に溶存気体測定装置を固定した初期の状態においては、濃度の測定対象である特定の気体に実質的に不活性な気体により満たされている。
【００２６】
第１配管押さえ部１ａと第２配管押さえ部１ｂとを、蝶番２を支点にして回転させてチューブなどの配管１１を挟み込み、固定部３を用いて固定した状態においては、当該配管１１の外周面の一部とガス貯留部５とに囲まれた空間が、配管１１を透過した気体を貯留する密閉空間を形成する。
【００２７】
排気口６は、ガス貯留部５に貯留された特定の気体と特定の気体に実質的に不活性な気体との混合気体を換気筒４側に排気する孔である。一方はガス貯留部５の表面に開口している。他方は第１配管押さえ部１ａを貫通して第１配管押さえ部１ａの反対側の表面に開口しており、その淵にはＯリング７がはめ込まれている。
【００２８】
換気筒４は、ガス貯留部５から当該混合気体が当該換気筒４内に流入するように、第１配管押さえ部１ａの配管１１と接する側の反対側の表面に、例えば配管１１方向に垂直に配置されている。そして換気筒４は、気体センサー８と換気口９と換気口フィルター１０とを有している。
【００２９】
気体センサー８は、混合気体に含まれる特定の気体の濃度を測定するように構成されたセンサーであり、例えば円環状の構造をしており、ガス貯留部５と換気口９との間に位置するように、当該換気筒４内に配置されている。そして気体センサー８は、換気筒４の第１配管押さえ部１ａ側に開口している部分にはめ込まれており、気体センサー８の第１配管押さえ部１ａ側の端部は、Ｏリング７に隙間なく接するように配置されている。
【００３０】
なお、気体センサー８は、図示しないケーブルなどの媒体を介して、混合気体に含まれる特定の気体の濃度の測定結果を、当該測定結果のデータを収集、蓄積等するコンピュータに送信する。あるいは、気体センサー８は、無線通信により混合気体に含まれる特定の気体の濃度の測定結果を当該コンピュータに送信することとしてもよい。
【００３１】
換気口９は、配管１１を透過した気体により押し出されるようにして矢印１２で示される方向に移動しながら気体センサー８を通過した混合気体を自然換気にて換気筒４外に排出する孔である。換気口９は、例えば図２に示すように、配管１１に溶存気体測定装置を固定した際にそれぞれ上方及び下方にあたる方向に向かって換気筒４を貫通している。
【００３２】
なお、換気筒４の貫通方向は、これに限定されない。例えば換気口９は、配管１１に溶存気体測定装置を固定した際に手前方向又は奥方向にあたる方向に向かって換気筒４を貫通するように構成されていてもよい。
【００３３】
このようにしてガス貯留部５から当該混合気体が自然換気されることにより、配管１１中を流通する気体の水溶液中に溶存する気体の濃度とガス貯留部５中の混合気体中の特定の気体の濃度とがやがて平衡となるとともに、その後の平衡状態が保たれる。
【００３４】
そして、配管１１中を流通する気体の水溶液中に溶存する気体の濃度とガス貯留部５中の混合気体中の特定の気体の濃度とが平衡になったときに、溶存気体測定装置は、気体センサー８により混合気体中に含まれる特定の気体の濃度を測定する。
【００３５】
配管１１中を流通する気体の水溶液中に溶存する気体の濃度とガス貯留部５中の混合気体中の特定の気体の濃度とが平衡に達する時期は、例えば気体センサー８により混合気体中の特定の気体の濃度を経時的に測定し、測定された濃度が所定時間一定になることにより知ることができる。
【００３６】
換気口フィルター１０は、換気口９を通して換気筒４内に異物が混入することを防ぐためのフィルターである。換気口フィルター１０は、異物混入に伴う気体センサー８の故障を防止している。
【００３７】
配管１１を透過した気体がガス貯留部５に貯留し、矢印１２で示す方向に移動しながら排気口６及び気体センサー８を通過する。当該気体センサー８を通過する気体の濃度を気体センサー８で測定することで、配管１１内を流れる気体の水溶液の汚染を伴わずに配管１１内の気体の濃度の測定が可能となる。そして当該気体は、気体センサー８で濃度を測定された後に、換気筒４内を矢印１２で示す方向にさらに移動して換気口９を通って換気筒４外に自然換気にて排出される。
【００３８】
上記の構成を備える本発明によれば、配管１１を透過してガス貯留部５から換気筒４に流入した特定の気体は、換気筒４外に自然換気されるときに、必ず当該特定の気体の濃度を測定する気体センサーにより測定されるので、配管１１中を流通する気体の水溶液中に溶存する気体の濃度を効果的に測定することができる。
【００３９】
このように、本発明によれば、配管１１を透過した気体を貯留するための密閉空間内の気体の自然換気による排出を継続しつつ、配管１１中を流通する気体の水溶液中に溶存する気体の濃度を効果的に測定することが可能な溶存気体測定装置を提供することができる。
【００４０】
また、換気筒４は、第１配管押さえ部１ａの表面の何れの位置に配置されていてもよいが、図２に示すように、第１配管押さえ部１ａ配管１１方向における一方の端部側に配置されていることが好ましい。
【００４１】
これにより、特定の気体が空気より軽い場合には配管１１の上方に換気筒４が位置するように溶存気体測定装置を配管１１に固定して、特定の気体が空気より重い場合には配管１１の下方に換気筒４が位置するように溶存気体測定装置を配管１１に固定して用いることができる。
【００４２】
そのため、特定の気体の重さを勘案して自然な換気を積極的に行うことができるので、配管１１中を流通する気体の水溶液中に溶存する気体の濃度をより正確に測定することができる。
【００４３】
このように、本発明によれば、配管１１を透過した気体を貯留するための密閉空間内の気体の自然換気を積極的に行い、配管１１中を流通する気体の水溶液中に溶存する気体の濃度をより正確に測定することが可能な溶存気体測定装置を提供することができる。
【００４４】
以上、本発明の実施形態について図面を用いて説明したが、本発明はこれに限定されない。本発明の趣旨を逸脱しない範囲で、種々の変更が可能である。
【００４５】
例えば、上記の実施例においては、配管押さえ部１が配管１１を挟み込む一対の配管押さえ部１ａと１ｂとで構成され、蝶番２と、固定部３とを用いて配管１１を挟み込んだ状態に固定するように構成されているが、これに限定されない。
【００４６】
配管押さえ部１が配管１１の外周を包みこむように形成された、管状の一つの部品により構成されてもよい。この場合、溶存気体測定装置は、蝶番２と固定部３とを備えない。
【符号の説明】
【００４７】
１ａ…第１配管押さえ部、１ｂ…第２配管押さえ部、２…蝶番、３…固定部、４…換気筒、５…ガス貯留部、６…排気口、７…Ｏリング、８…気体センサー、９…換気口、１０…換気口フィルター、１１…配管
【図１】
2020008506.tif 000003
【図２】
2020008506.tif 000004
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
特定の気体を透過する配管中を流通する該特定の気体の水溶液中に溶存する該特定の気体の濃度を測定する溶存気体測定装置であって、
前記配管に前記溶存気体測定装置を固定する配管押さえ部と、
前記配管を透過した気体を貯留する空間であるガス貯留部と、
前記ガス貯留部に貯留された気体を換気する換気筒とを備え、
前記換気筒は、前記ガス貯留部から該換気筒に流入した前記特定の気体の濃度を測定する気体センサーと、該気体を該換気筒外に排出する換気口とを有しており、
前記ガス貯留部と前記換気口との間をつなぎ該ガス貯留部から該換気筒に流入した前記特定の気体が流通可能な流路であって、該ガス貯留部から該換気口に向かって絞られている流路を備え、
前記気体センサーは、前記ガス貯留部と前記換気口との間に位置するように、前記流路内に配置されていることを特徴とする溶存気体測定装置。
【請求項２】
請求項１に記載の溶存気体測定装置において、
前記換気筒は、前記配管押さえ部の前記配管方向における一方の端部側に配置されていることを特徴とする溶存気体測定装置。
【手続補正２】
【補正対象書類名】明細書
【補正対象項目名】０００８
【補正方法】変更
【補正の内容】
【０００８】
本発明による溶存気体測定装置は、
特定の気体を透過する配管中を流通する該特定の気体の水溶液中に溶存する該特定の気体の濃度を測定する溶存気体測定装置であって、
前記配管に前記溶存気体測定装置を固定する配管押さえ部と、
前記配管を透過した気体を貯留する空間であるガス貯留部と、
前記ガス貯留部に貯留された気体を換気する換気筒とを備え、
前記換気筒は、前記ガス貯留部から該換気筒に流入した前記特定の気体の濃度を測定する気体センサーと、該気体を該換気筒外に排出する換気口とを有しており、
前記ガス貯留部と前記換気口との間をつなぎ該ガス貯留部から該換気筒に流入した前記特定の気体が流通可能な流路であって、該ガス貯留部から該換気口に向かって絞られている流路を備え、
前記気体センサーは、前記ガス貯留部と前記換気口との間に位置するように、前記流路内に配置されていることを特徴とする。
【手続補正３】
【補正対象書類名】明細書
【補正対象項目名】００１０
【補正方法】変更
【補正の内容】
【００１０】
そして、換気筒は、ガス貯留部から換気筒に流入した特定の気体の濃度を測定する気体センサーと、気体を換気筒外に排出する換気口とを有している。また、ガス貯留部と換気口との間をつなぎガス貯留部から換気筒に流入した特定の気体が流通可能な流路であって、ガス貯留部から換気口に向かって絞られている流路を備えており、気体センサーは、ガス貯留部と換気口との間に位置するように、流路内に配置されている。
これにより、配管を透過してガス貯留部から換気筒に流入した特定の気体は、換気筒外に自然換気されるときに、必ず当該特定の気体の濃度を測定する気体センサーにより測定されるので、配管中を流通する気体の水溶液中に溶存する気体の濃度を効果的に測定することができる。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
特定の気体を透過する配管でありかつ該特定の気体の水溶液が流通する配管に固定されて該配管中を流通する該水溶液に溶存する該特定の気体の濃度を測定する溶存気体測定装置であって、
前記配管に前記溶存気体測定装置を固定する配管押さえ部と、
前記配管を透過した気体を貯留する空間であるガス貯留部と、
前記ガス貯留部に貯留された気体を換気する換気筒とを備え、
前記換気筒は、前記ガス貯留部から該換気筒に流入した前記特定の気体の濃度を測定する気体センサーと、該気体を該換気筒外に排出する換気口とを有しており、
前記ガス貯留部と前記換気口との間をつなぎ該ガス貯留部から該換気筒に流入した前記特定の気体が流通可能な流路であって、該ガス貯留部から該換気口に向かって絞られている流路を備え、
前記気体センサーは、前記ガス貯留部と前記換気口との間に位置するように、前記流路内に配置されていることを特徴とする溶存気体測定装置。
【請求項２】
請求項１に記載の溶存気体測定装置において、
前記換気筒は、前記配管押さえ部の前記配管方向における一方の端部側に配置されていることを特徴とする溶存気体測定装置。
【手続補正２】
【補正対象書類名】明細書
【補正対象項目名】０００８
【補正方法】変更
【補正の内容】
【０００８】
本発明による溶存気体測定装置は、
特定の気体を透過する配管でありかつ該特定の気体の水溶液が流通する配管に固定されて該配管中を流通する該水溶液に溶存する該特定の気体の濃度を測定する溶存気体測定装置であって、
前記配管に前記溶存気体測定装置を固定する配管押さえ部と、
前記配管を透過した気体を貯留する空間であるガス貯留部と、
前記ガス貯留部に貯留された気体を換気する換気筒とを備え、
前記換気筒は、前記ガス貯留部から該換気筒に流入した前記特定の気体の濃度を測定する気体センサーと、該気体を該換気筒外に排出する換気口とを有しており、
前記ガス貯留部と前記換気口との間をつなぎ該ガス貯留部から該換気筒に流入した前記特定の気体が流通可能な流路であって、該ガス貯留部から該換気口に向かって絞られている流路を備え、
前記気体センサーは、前記ガス貯留部と前記換気口との間に位置するように、前記流路内に配置されていることを特徴とする。